【手続補正書】
【提出日】平成19年6月29日(2007.6.29)
【手続補正１】
【補正対象書類名】明細書
【補正対象項目名】特許請求の範囲
【補正方法】変更
【補正の内容】
【特許請求の範囲】
【請求項１】  電気光学素子を有する画素がマトリクス状に配置されてなる表示エリア部と、
前記表示エリア部の各画素を行単位で選択する垂直駆動回路と、
複数の基準電圧を発生する基準電圧発生回路と、
前記複数の基準電圧の中からディジタル画像データに対応した基準電圧を選択する基準電圧選択型ＤＡ変換回路を有し、このＤＡ変換回路で選択された基準電圧を画像信号として前記垂直駆動回路によって選択された行の各画素に対して供給する水平駆動回路と、
各種のタイミング信号を発生して各回路部に与えるタイミング発生回路と、
単一の直流電圧を電圧値の異なる複数種類の直流電圧に変換して各回路部に与える電源電圧変換回路とを備え、
前記垂直駆動回路、前記基準電圧発生回路、前記水平駆動回路、前記タイミング発生回路および前記電源電圧変換回路が、前記表示エリア部と共に同一基板上に作成されてなる
ことを特徴とするアクティブマトリクス型表示装置。
【請求項２】  前記垂直駆動回路、前記基準電圧発生回路、前記水平駆動回路、前記タイミング発生回路および前記電源電圧変換回路は、前記表示エリア部と共に同一プロセスを用いて作成されている
ことを特徴とする請求項１記載のアクティブマトリクス型表示装置。
【請求項３】  画像データを格納する画像メモリ回路をさらに備え、この画像メモリ回路が前記表示エリア部と共に同一基板上に同一プロセスを用いて作成されている
ことを特徴とする請求項２記載のアクティブマトリクス型表示装置。
【請求項４】  データの入出力を行うインターフェース回路をさらに備え、このインターフェース回路が前記表示エリア部と共に同一基板上に同一プロセスを用いて作成されている
ことを特徴とする請求項２記載のアクティブマトリクス型表示装置。
【請求項５】  外部光の強度を検知する光センサ回路をさらに備え、この光センサ回路が前記表示エリア部と共に同一基板上に同一プロセスを用いて作成されている
ことを特徴とする請求項２記載のアクティブマトリクス型表示装置。
【請求項６】  前記電気光学素子が液晶セルである
ことを特徴とする請求項１記載のアクティブマトリクス型表示装置。
【請求項７】  前記液晶セルの対向電極に印加する電圧を発生する対向電極電圧発生回路をさらに備え、この対向電極電圧発生回路が前記表示エリア部と共に同一基板上に同一プロセスを用いて作成されている
ことを特徴とする請求項６記載のアクティブマトリクス型表示装置。
【請求項８】  前記電気光学素子がエレクトロルミネッセンス素子である
ことを特徴とする請求項１記載のアクティブマトリクス型表示装置。
【請求項９】  表示部として、
電気光学素子を有する画素がマトリクス状に配置されてなる表示エリア部と、
前記表示エリア部の各画素を行単位で選択する垂直駆動回路と、
複数の基準電圧を発生する基準電圧発生回路と、
前記複数の基準電圧の中からディジタル画像データに対応した基準電圧を選択する基準電圧選択型ＤＡ変換回路を有し、このＤＡ変換回路で選択された基準電圧を画像信号として前記垂直駆動回路によって選択された行の各画素に対して供給する水平駆動回路と、
各種のタイミング信号を発生して各回路部に与えるタイミング発生回路と、
単一の直流電圧を電圧値の異なる複数種類の直流電圧に変換して各回路部に与える電源電圧変換回路とを備え、
前記垂直駆動回路、前記基準電圧発生回路、前記水平駆動回路、前記タイミング発生回路および前記電源電圧変換回路が、前記表示エリア部と共に同一基板上に作成されてなるアクティブマトリクス型表示装置を用いた
ことを特徴とする携帯端末。
【請求項１０】  前記垂直駆動回路、前記基準電圧発生回路、前記水平駆動回路、前記タイミング発生回路および前記電源電圧変換回路は、前記表示エリア部と共に同一プロセスを用いて作成されている
ことを特徴とする請求項９記載の携帯端末。
【請求項１１】  前記アクティブマトリクス型表示装置は、画像データを格納する画像メモリ回路をさらに備え、この画像メモリ回路が前記表示エリア部と共に同一基板上に同一プロセスを用いて作成されている
ことを特徴とする請求項１０記載の携帯端末。
【請求項１２】  前記アクティブマトリクス型表示装置は、データの入出力を行うインターフェース回路をさらに備え、このインターフェース回路が前記表示エリア部と共に同一基板上に同一プロセスを用いて作成されている
ことを特徴とする請求項１０記載の携帯端末。
【請求項１３】  前記アクティブマトリクス型表示装置は、外部光の強度を検知する光センサ回路をさらに備え、この光センサ回路が前記表示エリア部と共に同一基板上に同一プロセスを用いて作成されている
ことを特徴とする請求項１０記載の携帯端末。
【請求項１４】  前記アクティブマトリクス型表示装置は、前記電気光学素子として液晶セルを用いた液晶表示装置である
ことを特徴とする請求項９記載の携帯端末。
【請求項１５】  前記アクティブマトリクス型表示装置は、前記液晶セルの対向電極に印加する電圧を発生する対向電極電圧発生回路をさらに備え、この対向電極電圧発生回路が前記表示エリア部と共に同一基板上に作成されている
ことを特徴とする請求項１４記載の携帯端末。
【請求項１６】  前記アクティブマトリクス型表示装置は、前記電気光学素子としてエレクトロルミネッセンス素子を用いたエレクトロルミネッセンス表示装置である
ことを特徴とする請求項９記載の携帯端末。
【手続補正２】
【補正対象書類名】明細書
【補正対象項目名】０００７
【補正方法】変更
【補正の内容】
【０００７】
【課題を解決するための手段】
上記目的を達成するために、本発明では、電気光学素子を有する画素がマトリクス状に配置されてなる表示エリア部と、この表示エリア部の各画素を行単位で選択する垂直駆動回路と、複数の基準電圧を発生する基準電圧発生回路と、これら複数の基準電圧の中からディジタル画像データに対応した基準電圧を選択する基準電圧選択型ＤＡ変換回路を有し、このＤＡ変換回路で選択された基準電圧を画像信号として垂直駆動回路によって選択された行の各画素に対して供給する水平駆動回路と、各種のタイミング信号を発生して各回路部に与えるタイミング発生回路と、単一の直流電圧を電圧値の異なる複数種類の直流電圧に変換して各回路部に与える電源電圧変換回路とを具備するアクティブマトリクス型表示装置において、垂直駆動回路、基準電圧発生回路、水平駆動回路、タイミング発生回路および電源電圧変換回路を、表示エリア部と共に同一基板上に作成した構成を採っている。そして、このアクティブマトリクス型表示装置は、携帯端末の表示部として用いられる。
【手続補正３】
【補正対象書類名】明細書
【補正対象項目名】０００８
【補正方法】変更
【補正の内容】
【０００８】
上記構成のアクティブマトリクス型表示装置あるいはこれを用いた携帯端末において、表示エリア部での表示駆動に必要な周辺回路を全て表示エリア部と共に同一基板上に作成することで、セットを構成する部品点数を少なく抑えることができる。したがって、セットの低コスト化、さらには薄型化、コンパクト化が可能になる。
【手続補正４】
【補正対象書類名】明細書
【補正対象項目名】００６７
【補正方法】変更
【補正の内容】
【００６７】
【発明の効果】
以上説明したように、本発明によれば、アクティブマトリクス型表示装置あるいはこれを表示部として用いた携帯端末において、垂直駆動回路および水平駆動回路を含む駆動回路の他、周辺回路を表示エリア部と共に同一基板上に作成するようにしたことにより、セットを構成する部品点数を少なく抑えることができるため、セットの低コスト化、さらには薄型化、コンパクト化が可能になる。